(57)【要約】      （修正有）【課題】ユーザ認証のためにログインする際に、その利用・登録が容易であり、ユーザの利便性を損なわず、しかも、ＩＤとパスワードだけよりも、セキュリティ効果の高いログイン方法、ログイン装置および記録媒体を提供する。【解決手段】ユーザＩＤとパスワードとによって認証を行った後に、さらに、ユーザ自身が予め認証用に登録したログイン画面上の特定の領域である指示有効領域を、マウスやキーボードで指定する入力操作を行うことによって、ログイン処理が完了する。【選択図】図４
2008276375.tif 000002
【特許請求の範囲】
【請求項１】
指示した領域が有効であると判断される指示有効領域を登録するための指示有効領域登録用画面を、画面作成部が作成する指示有効領域登録用画面作成段階と；
この作成された指示有効領域登録用画面を、表示部に表示する指示有効領域登録用画面表示段階と；
上記表示されている指示有効領域登録用画面の中から、ユーザが選択した領域を、上記指示有効領域として登録する指示有効領域登録段階と；
を有することを特徴とするログイン時に指示する領域を登録する方法。
【請求項２】
ユーザが画面上で指示した領域が、予め登録されている指示有効領域に含まれているかどうかを判断する判断段階と；
ユーザが指示した領域が、上記指示有効領域に含まれていれば、ログイン処理部がログイン処理を行うログイン処理段階と；
を有することを特徴とするログイン方法。
【請求項３】
指示した領域が有効であると判断される指示有効領域を登録するための指示有効領域登録用画面を作成する指示有効領域登録用画面作成手段と；
この作成された指示有効領域登録用画面を表示する表示手段と；
上記表示されている指示有効領域登録用画面の中から、ユーザが選択した領域を、上記指示有効領域として登録する指示有効領域登録手段と；
を有することを特徴とするログイン時に指示する領域を登録する装置。
【請求項４】
ユーザが画面上で指示した領域が、予め登録されている指示有効領域に含まれているかどうかを判断する判断手段と；
ユーザが指示した領域が、上記指示有効領域に含まれていれば、ログイン処理を行うログイン処理手段と；
を有することを特徴とするログイン装置。
【請求項５】
ＩＤ・パスワード登録用画面を、画面作成部が作成するＩＤ・パスワード登録用画面作成段階と；
上記作成されたＩＤ・パスワード登録用画面を、表示部に表示するＩＤ・パスワード登録用画面表示段階と；
ユーザが入力したＩＤ・パスワードを、ユーザ単位で、ＩＤ・パスワード蓄積部に登録するＩＤ・パスワード登録段階と；
指示した領域が有効であると判断される指示有効領域を登録するための指示有効領域登録用画面を、画面作成部が作成する指示有効領域登録用画面作成段階と；
この作成された指示有効領域登録用画面を、表示部に表示する指示有効領域登録用画面表示段階と；
上記表示されている指示有効領域登録用画面の中から、ユーザが選択した領域を、上記指示有効領域として登録する指示有効領域登録段階と；
を有することを特徴とするログイン時に指示する領域を登録する方法。
【請求項６】
ＩＤ・パスワード登録用画面を、画面作成部が作成するＩＤ・パスワード登録用画面作成段階と；
この作成されたＩＤ・パスワード登録用画面を、表示部が表示するＩＤ・パスワード登録用画面表示段階と；
ＩＤ・パスワード蓄積部に格納されているＩＤ・バスワードと、ユーザが入力したＩＤ・パスワードとを、照合部が照合する照合段階と；
上記格納されているＩＤ・バスワードと、ユーザが入力したＩＤ・パスワードとの照合に成功すれば、ユーザが画面上で指示した領域が、予め登録されている指示有効領域に含まれているかどうかを判断する判断段階と；
ユーザが指示した領域が、上記指示有効領域に含まれていれば、ログイン処理部がログイン処理を行うログイン処理段階と；
を有することを特徴とするログイン方法。
【請求項７】
請求項５において、
上記指示有効領域登録用画面としての壁紙中に表示されている対象物のうちで、ユーザが選択する対象物に対応する指示有効領域を、ユーザに明示する明示段階を有することを特徴とするログイン時に指示する領域を登録する方法。
【請求項８】
請求項６において、
上記ＩＤ・パスワード蓄積部に格納されているＩＤ・バスワードと、ユーザが入力したＩＤ・パスワードとの照合に成功すれば、指示有効領域をクリックすることをユーザに促す指示テキストを、画面作成部が作成する指示テキスト作成段階と；
上記作成された指示テキストを、上記表示部が表示する指示テキスト表示段階と；
を有することを特徴とするログイン方法。
【請求項９】
ＩＤ・パスワード登録用画面を作成するＩＤ・パスワード登録用画面作成手段と；
上記作成されたＩＤ・パスワード登録用画面を表示するＩＤ・パスワード登録用画面表示手段と；
ユーザが入力したＩＤ・パスワードを、ユーザ単位で登録するＩＤ・パスワード登録手段と；
指示した領域が有効であると判断される指示有効領域を登録するための指示有効領域登録用画面を作成する指示有効領域登録用画面作成手段と；
この作成された指示有効領域登録用画面を表示する指示有効領域登録用画面表示手段と；
上記表示されている指示有効領域登録用画面の中から、ユーザが選択した領域を、上記指示有効領域として登録する指示有効領域登録手段と；
を有することを特徴とするログイン時に指示する領域を登録する装置。
【請求項１０】
ＩＤ・パスワード登録用画面を作成するＩＤ・パスワード登録用画面作成手段と；
この作成されたＩＤ・パスワード登録用画面を表示するＩＤ・パスワード登録用画面表示手段と；
ＩＤ・パスワード蓄積部に格納されているＩＤ・バスワードと、ユーザが入力したＩＤ・パスワードとを照合する照合手段と；
上記格納されているＩＤ・バスワードと、ユーザが入力したＩＤ・パスワードとの照合に成功すれば、ユーザが画面上で指示した領域が、予め登録されている指示有効領域に含まれているかどうかを判断する判断手段と；
ユーザが指示した領域が、上記指示有効領域に含まれていれば、ログイン処理部がログイン処理を行うログイン処理手段と；
を有することを特徴とするログイン装置。
【請求項１１】
請求項１、２、５〜８のいずれか１項記載の方法をコンピュータに実行させるプログラム。
【請求項１２】
請求項１、２、５〜８のいずれか１項記載の方法をコンピュータに実行させるプログラムを記録したコンピュータ読取可能な記録媒体。
【発明の詳細な説明】
【技術分野】
【０００１】
本発明は、ユーザがユーザ認証のためにＰＣ、携帯、ゲーム機または測定機器等の電子端末機器に対してログインする技術に関する。
【背景技術】
【０００２】
従来は、ユーザ認証のためにログイする際に、ＩＤとパスワードとを使用することが一般的であり、パソコンを初めとして、携帯、ＰＤＦ、ゲーム、銀行のキャッシュカードや制御装置等、多くの電子機器端末で使用者を特定し、セキュリティを確保する目的で社会的に広く使用されている。
【０００３】
このログインを行う場合、自動的にセキュリティを確保する方法として、非接触型ＩＤカードを利用する方法が知られている（たとえば、特許文献１参照）。
【特許文献１】特許第３５２０９３８号公報
【発明の開示】
【発明が解決しようとする課題】
【０００４】
上記従来例では、ＩＤとパスワードとの組を使用して、匿名性を排除し、電子機器端末の使用者を特定し、利用サービスの使用を許可する方法が一般的である。この方法を採用する場合、昨今、新聞、ニュースで報道されているように、パスワードを何らかの方法で入手されると、使用者のなりすましが可能になり、フィッシング詐欺や不正金額引き落し等の被害が発生する。セキュリティを強化する目的で、指紋認証、虹彩認証や手の静脈認証等、生体認証等のシステムも開発されている。
【０００５】
ユーザの立場からすると、セキュリティ強化のためとはいえ、利便性がよくないものは、利用されにくい。したがって、上記生体情報を提供することに抵抗があり、また、誤認識のためにログインできないという不都合が生じるので、利用には壁があり、広く普及していないことが実情である。
【０００６】
本発明は、ユーザ認証のためにログイする際に、その利用・登録が容易であり、ユーザの利便性を損なわず、しかも、ＩＤとパスワードだけよりも、セキュリティ効果の高いログイン方法、ログイン装置および記録媒体を提供することを目的とする。
【課題を解決するための手段】
【０００７】
本発明は、ユーザＩＤとパスワードとによって認証を行った後に、さらに、ユーザ自身が予め認証用に登録したログイン画面上の特定の領域である指示有効領域を、マウスやキーボードで指定する入力操作を行うことによって、ログイン処理が完了する。
【発明の効果】
【０００８】
本発明によれば、ユーザ認証のためにログイする際に、その利用・登録が容易であり、ユーザの利便性を損なわず、しかも、ＩＤとパスワードだけよりも、セキュリティ効果が高いという効果を奏する。
【発明を実施するための最良の形態】
【０００９】
発明を実施するための最良の形態は、以下の実施例である。
【実施例１】
【００１０】
図１は、本発明の実施例１である電子端末機器１００を示すブロック図である。
【００１１】
電子端末機器１００は、ログイン装置の例であり、入力部１と、テキストデータ処理部２と、照合部３と、条件判断部４と、領域指示部５と、計算部６と、制御部７と、表示部８と、画面作成部９と、ＩＤ・パスワード蓄積部１０と、領域座標データ蓄積部１１と、ログイン処理回数カウンタデータ蓄積部１２と、ログイン処理部１３とを有する。また、ＰＣもログイン装置の例である。
【００１２】
入力部１は、ＩＤ・パスワードを入力する手段である。
【００１３】
テキストデータ処理部２は、ＩＤ・パスワードをユーザ単位に、ＩＤ・パスワード蓄積部１０に登録する。
【００１４】
照合部３は、登録されているＩＤとユーザが入力したＩＤとを照合し、登録されているバスワードとユーザが入力したパスワードとを照合し、また、ユーザがカーソルでクリックした点（ｘ，ｙ）座標が、領域座標データ蓄積部１１から読み出された指示有効領域に含まれているかどうかを判断する。
【００１５】
上記「指示有効領域」は、指示した領域が有効であると判断される領域である。
【００１６】
条件判断部４は、ログイン処理回数カウンタＣの値が、予め設定された値Ｎ以下である（Ｃ＜Ｎ）かどうかを判断する。
【００１７】
領域指示部５は、ユーザがカーソルでクリックした点の座標（ｘ，ｙ）、または、ユーザがキーボート等で入力した領域を読み込む。
【００１８】
計算部６は、カウンタをリセット（ゼロクリア）、またはインクリメントする。
【００１９】
表示部８は、作成されたＩＤ・パスワード登録用画面を表示し、作成された指示有効領域登録用画面を表示し、具体的には、指示有効領域登録用画面としての壁紙を表示する。また、表示部８は、指示有効領域をクリックすることをユーザに促す指示テキストを表示する。
【００２０】
画面作成部９は、ＩＤ・パスワード登録用画面を作成し、また、指示有効領域登録用画面を作成する。
【００２１】
ＩＤ・パスワード蓄積部１０は、ユーザ単位で、ＩＤ・パスワードを登録する。
【００２２】
領域座標データ蓄積部１１は、指示有効領域の座標データを、ユーザ単位で登録する。
【００２３】
ログイン処理回数カウンタデータ蓄積部１２は、ログイン処理回数カウンタデータを蓄積する。
【００２４】
ログイン処理部１３は、ログイン処理回数カウンタＣを具備する。
【００２５】
次に、電子機器端末１００の動作について説明する。
【００２６】
また、電子機器端末１００において、指示有効領域を予め登録する動作について説明する。
【００２７】
図２は、電子機器端末１００において、指示有効領域を予め登録する動作を示すフローチャートである。
【００２８】
まず、ユーザが、ユーザ認証のためにログインを行う状態に遷移するために、電子機器端末１００において、ユーザが登録処理を要求する（Ｓ２）。
【００２９】
入力部１を介して入力されたユーザ登録処理（Ｓ２）の要求に基づいて、画面作成部９が、ＩＤ・パスワード登録用画面（（図示せず）を作成し、この作成されたＩＤ・パスワード登録用画面を、表示部８が表示する（Ｓ３）。
【００３０】
そして、ユーザが、入力部１を介して、ＩＤ・パスワードを入力すると、テキストデータ処理部２が、ユーザ単位で、ＩＤ・パスワードをＩＤ・パスワード蓄積部１０に登録する（Ｓ４）。
【００３１】
図３は、実施例１で使用する指示有効領域登録用画面２１の例を示す図である。
【００３２】
指示有効領域登録用画面２１は、指示有効領域を登録するために使用する画面であり、多数の領域Ｒ１１、Ｒ１２、…………、Ｒ４５、Ｒ４６が表示され、各領域の境界に、破線が表示されている。また、指示有効領域登録用画面２１には、「指示有効領域を選択し、クリック（リターン）して下さい」の指示テキスト２２が表示されている。
【００３３】
そして、画面作成部９が、指示有効領域登録用画面２１を作成し、この作成された指示有効領域登録用画面２１を、表示部８に表示する（Ｓ５）。ボール、はさみ、傘、トライアングル、苺等、指示有効領域登録用画面２１は、複数の対象物が表示されている画面であり、これら表示されている対象物が、各指定有効領域のシンボルとして表示され、ユーザが所望の指示有効領域を選択する場合の目安として表示される。
【００３４】
ユーザが、マウスまたはキーボードで、矢印等のカーソルを移動し、表示部８に表示されている指示有効領域登録用画面（壁紙）２１中の対象物にカーソルを合わせる。また、表示部８に表示されている壁紙中で、ユーザが選択すべき指示有効領域の境界がユーザに分かるように、その境界を破線で示してある。そして、表示されている複数の対象物（指示有効領域）の中から、１つの対象物（指示有効領域）をユーザが選択し、クリックする（Ｓ６）。なお、ユーザが選択すべき指示有効領域の境界がユーザに分かるようにする手法として、破線を表示する代わりに、実線、一点鎖線、２点鎖線を表示するようにしてもよく、また、直線の代わりに、円等の曲線を表示するようにしてもよい。
【００３５】
この場合、対象物（指示有効領域）は、ユーザが指定し易い大きさであれば、任意の大きさに設定してもよく、また、任意の場所に対象物を設定するようにしてもよい。すなわち、壁紙等に写っている対象物が、１つのまとまりの領域として認識できる領域を、指示有効領域として設定する。
【００３６】
実施例１では、対象物の外接矩形、または当該対象物よりも少し大きい範囲を、指示有効領域として決めてある。対象物よりも少し大きい領域を、指示有効領域として決める場合、対象物の対角の２点のｘ，ｙ座標、たとえば、対象物の左上と右下とのｘ，ｙ座標によって、指示有効領域を決めるようにしてもよい。
【００３７】
なお、指示有効領域を、矩形に限定する必要はなく、多角形、楕円で指示有効領域を設定するようにしてもよい。多角形を指示有効領域として設定する場合には、２点以上を指定することによって多角形を指定すればよく、楕円を指示有効領域として設定する場合には、２点のｘ座標の差、２点のｙ座標の差を、長軸、短軸の長さとみなすことによって、楕円を指定すればよい。
【００３８】
ユーザが選択した対象物に対応する指示有効領域の座標データを、領域座標データ蓄積部１１に、ユーザ単位で登録する（Ｓ７）。この登録処理は、ユーザ登録する過程で、パスワード登録とセットで実行し、指示有効領域を変更する場合も、パスワードを変更する場合と同様に、任意のタイミングで実行することができる。
【００３９】
なお、実施例１では、指示有効領域を１箇所のみ登録するが、指示有効領域を複数、登録するようにしてもよい。指示有効領域の数が増えると、ユーザの利便性は低下するが、セキュリティは強化されるので、利用サービスに応じて、指示有効領域の数を決定するようにするとよい。この場合、複数の指示有効領域を指定する順序が正しいときにのみ、ログインを許可するようにしてもよく、指定する順序を問わずに、全部の指示有効領域を正しく指定すれば、ログインを許可するようにしてもよい。複数の指示有効領域を指定する順序が正しいときにのみ、ログインを許可する場合と、指定する順序を問わずに、全部の指示有効領域を正しく指定すれば、ログインを許可する場合とでは、セキュリティレベル、サービスレベルが変わるので、利用するサービスに応じて、これらのうちの１つの場合を決定する。
【００４０】
次に、電子端末機器１００において、予め登録した指示有効領域を、ログイン時にユーザが指示する動作について説明する。
【００４１】
図４は、予め登録しておいた指示有効領域を、ログイン時にユーザが指示する動作を示すフローチャートである。
【００４２】
まず、電子端末機器１００の電源を入れると、ユーザがログイン処理を行う状態へ、ログイン処理部１３が移行する（Ｓ１１）。
【００４３】
そして、制御部７は、ログイン処理回数カウンタデータ蓄積部１２に設けられているログイン処理回数カウンタＣをリセットする（＝０にする）ように、計算部６に働きかける（Ｓ１２）。
【００４４】
次に、ログイン処理回数カウンタＣを１インクリメントする（＋１する）（Ｓ１３）。
【００４５】
ＩＤ・パスワード入力用画面（不図示）を、画面作成部９が作成し、この作成されたＩＤ・パスワード登録用画面を、表示部８が表示する（Ｓ１４）。
【００４６】
そして、入力部１を介して、ユーザがＩＤ・パスワードを入力すると、ＩＤ・パスワード蓄積部１０に格納されているＩＤ・バスワードと、ユーザが入力したＩＤ・パスワードとを、それぞれ、照合部３が照合する（Ｓ１５、Ｓ１６）。照合に失敗すると、エラーメッセージを出力し（Ｓ１７）、ログイン処理回数カウンタＣを１インクリメントする（＋１する）処理（Ｓ１３）に戻る。
【００４７】
図５は、実施例１において使用する領域指示用画面３１を示す図である。
【００４８】
領域指示用画面３１には、複数の領域Ｒ１１、Ｒ１２、…………、Ｒ４５、Ｒ４６と、各領域Ｒ１１〜Ｒ４６のそれぞれのシンボルとしての対象物とが表示されている。また、各領域Ｒ１１〜Ｒ４６を仕切る破線が表示されている。さらに、領域指示用画面３１には、「指示有効領域を選択し、クリックして下さい」が記載されている指示テキスト３２が表示されている。
【００４９】
ＩＤ・パスワードの照合に成功すれば、指示有効領域を選択してクリックするように促す指示テキスト３２を、画面作成部９が作成し、この作成された指示テキストを、表示部８が表示する（Ｓ１８）。
【００５０】
そして、ユーザが、マウス等のポインティングデバイスを通じて、画面上の所定の点をクリック（指示）すると、ユーザがカーソルでクリックした点の座標（ｘ，ｙ）を、領域指示部５が出力し、この出力された座標が、予め登録した指示有効領域に含まれているかどうかを判断する（Ｓ１９、Ｓ２０）。つまり、ユーザがカーソルでクリックした点の座標（ｘ，ｙ）が、領域座標データ蓄積部１１から読み出された指示有効領域に含まれているかどうかを、照合部３が判断する。照合できなければ、ログイン処理回数カウンタＣの値が、予め設定された値Ｎ以下である（Ｃ＜Ｎ）かどうかを、条件判断部４が判断する（Ｓ２１）。
【００５１】
複数領域を指定する場合には、予め登録した指示有効領域の登録順序に従い、カーソルで、クリックする。順序を問わない場合は、領域数だけ合致していればよい。なお、一定時間、入力がない場合、タイムアウトし、照合できない場合と同様に以下の処理に移る。
【００５２】
ログイン処理回数カウンタＣの値が予め設定された値Ｎ未満であると（Ｃ＜Ｎ）、条件判断部４が判断すれば、エラーメッセージを出力し（Ｓ２２）、ログイン処理回数カウンタＣを１インクリメントする処理（Ｓ１３）に戻る。
【００５３】
ログイン処理回数カウンタＣの値が、予め設定された値Ｎ以上である（Ｃ＞＝Ｎ）場合、ログイン誤りがＮ回連続して行われたと判断し、エラーメッセージを出し（Ｓ２２）、ログイン処理部１３のログイン処理回数カウンタＣをリセットする（＝０にする）処理（Ｓ１２）に戻り、すなわち、ログイン処理の最初に戻り、初めからやリ直しする。
【００５４】
また、照合（Ｓ２０）に成功すると、条件判断部４は、制御部７を通じて、ログイン処理部１３に対して、ログイン処理をし、サービスを開始するように命令する。
【００５５】
このように、ユーザは、パスワードを登録する場合と同様の感覚で、画面上の任意の領域を自分で選び、この選んだ領域中の任意の位置をクリックする。または、ユーザが選んだ領域を囲むように、範囲指示する。上記任意の領域は、壁紙のたとえば、ボール、はさみ、傘、トライアングル、苺等の対象物の全体や、その対象物の一部分等、目で見て分かリやすい対象物に対応する領域である。
【００５６】
このように選んだ領域を囲むようにして、指示有効領域を設定することによって、ユーザにとっては意味のある領域だが、システム上は、単なる（ｘ，ｙ）座標に過ぎない数値の組を登録し、ユーザがログイン時にパスワード入力にプラスして、ユーザにとって意味がある領域（たとえば、ユーザが好む動物、建物、キャラクタ等が表示されている領域）であって、選択しやすい領域内をクリックする。すなわち、壁紙に描かれている対象物の全部または一部分等をマウスでクリックする等、ポインティングデバイスで指示する。このように、指示有効領域中の所定の部位を指示することによって、システム上のセキュリティを、手軽に強化することができる。
【００５７】
なお、ユーザにとって意味がない領域をクリックし、指示有効領域を登録するようにしてもよい。上記「ユーザにとって意味がない領域」は、たとえば、画面の上半分、左下部分等、ユーザの趣味等と無関係の領域である。
【００５８】
つまり、英数字は、その情報だけで意味があるテキストデータであるので、そのデータそのものが入力対象であり、容易に利用することができ、セキュリティ上、危険である。しかし、上記指示有効領域を示す情報は、位置情報だけであり、そのデータ（位置情報）自身を入力するのではなく、位置情報を、カーソル等のポインティングデバイスで指示する。したがって、電子端末機器１００の画面状態とセットでなければ、ユーザにとって意味を理解しにくいので、利用しにくい。すなわち、セキュリティを強化することができるというメリットがある。
【００５９】
また、時刻や期間によって、上記指示有効領域を変え、パスワードと同様に、変更できるようにしてもよい。指示有効領域の個数と指示する順番とを定めることによって、セキュリティをさらに強化することができる。
【実施例２】
【００６０】
実施例２は、実施例１において、Ｓ１８を省略する実施例である。
【００６１】
図６は、本発明の実施例２で使用する領域指示用画面３１ａを示す図である。
【００６２】
領域指示用画面３１ａには、多数の領域Ｒ１１、Ｒ１２、…………、Ｒ４５、Ｒ４６と、各領域Ｒ１１〜Ｒ４６のそれぞれのシンボルとしての対象物と、各領域Ｒ１１〜Ｒ４６を仕切る破線が表示されている。しかし、領域指定用画面３１ａには、「指示有効領域を選択し、クリックして下さい」等の指示テキストが表示されていない。
【００６３】
ところで、図４に示すＳ１８を実行すれば、操作を促すメッセージ（指示テキスト）がユーザに表示されるので、ユーザにとって利便性の高いログイン処理である。一方、図６に示すように、「指示有効領域を選択し、クリックして下さい」等の指示テキストを省略して表示し、つまり、Ｓ１８を省略すると、ユーザＩＤとパスワードとによって認証した後に、ユーザ操作が要求されていることが明示されていないので、セキュリティレベルが一層高いログイン処理である。
【００６４】
上記実施例は、多くのログイン時に現在利用されているユーザＩＤとパスワード入力方法と、基本的には同じであるので、指示有効領域を選択すること自体を知らないユーザは、ログイン法すら気付かない。なお、この場合、一定の入力時間、待機し、Ｓ２０でタイムアウトを判定する処理も必要である。タイムアウトの場合、Ｓ１６で「ＮＯ」と判定した場合と同様に処理する。
【００６５】
実施例２によれば、ＩＤ・パスワードを認証する際に、画面上の指示有効領域をユーザが指示するので、ＩＤとパスワードとを認証する場合よりも、セキュリティ効果が高く、また、パスワードのように、英数字という形を持ち、目に見える情報と違い、上記指示有効領域は、通常、ユーザの頭の中にだけにある情報であるので、外部に漏れにくい。
【実施例３】
【００６６】
本発明の実施例３は、実施例１において、指示有効領域をユーザが自由に設定する実施例である。
【００６７】
図７は、本発明の実施例３で使用する指示有効領域登録画面２１ａを示す図である。
【００６８】
図７に示す例では、指示有効領域登録画面２１ａに、指示テキスト２２ａが表示される。指示テキスト２２ａは、「指示領域を選択してクリックして下さい。複数領域を登録する場合は繰り返して指定して下さい。ログイン時に順番を考慮する場合は、指定した順番に入力する必要があります。終了する場合は、「ＥＸＩＴ」をクリックして下さい。」である。
【００６９】
図８は、本発明の実施例３で使用する指示有効領域登録画面２１ａにおいて、ユーザが指示有効領域ＲＡ、ＲＢを指定した状態である指示有効領域登録画面２１ｂを示す図である。
【００７０】
実施例３において、指示有効領域ＲＡは、ログイン時のクリック順番が１番目であり、指示有効領域ＲＢは、ログイン時のクリック順番が２番目である。指示有効領域ＲＡをユーザが指示する場合、矩形の左上の頂点の座標（ＸＡ１，ＹＡ１）と、矩形の右下の頂点の座標（ＸＡ２，ＹＡ２）とを指示する。ただし、ユーザは、指示有効領域登録画面２１ｂ（壁紙）の任意の位置をクリックしたときの座標が（ＸＡ１，ＹＡ１）と（ＸＡ２，ＹＡ２）とであることを意識しているのではなく、壁紙の画像中の所望の位置のみを意識している。たとえば、壁紙の右上の雲を囲む領域を意識して、指示有効領域を登録する。
【００７１】
指示有効領域ＲＢをユーザが指示する場合、矩形の左上の頂点の座標（ＸＢ１，ＹＢ１）と、矩形の右下の頂点の座標（ＸＢ２，ＹＢ２）とが指示される。この場合も、特定の座標値を意識するのではなく、たとえば、富士山の上半分の領域のみを意識して、指示有効領域を登録する。
【００７２】
図９は、本発明の実施例３において、指示有効領域登録画面２１ｂに示すように、ユーザが指示有効領域を指示した後に表示される指示有効領域登録画面２１ｃを示す図である。
【００７３】
上記のようにして、指示有効領域を指定した後に、「ＥＸＩＴ」をクリックすると、図９に示す指示有効領域登録画面２１ｃが表示される。
【００７４】
指示有効領域登録画面２１ｃでは、指示テキスト２２ｃが表示される。指示テキスト２２ｃは、
「登録条件を選択して下さい。
◎１．ログイン時に登録領域の指定順番を考慮する。
◎２．ログイン時に登録領域の指定順番を考慮しない。」
が表示される。上記「◎」はラジオボタンを示し、このラジオボタンをクリックすることによって、上記「１．」、「２．」の一方を選択し、画面左したの「ＥＸＩＴ」をクリックする。
【００７５】
図１０は、本発明の実施例３において、指示有効領域登録画面２１ｂに示すように、ユーザが指示有効領域を指示した後に表示される指示有効領域登録画面２１ｄを示す図である。
【００７６】
指示有効領域登録画面２１ｄでは、指示テキスト２２ｄが表示され，終了ボタンで選択する例である。指示テキスト２２ｄは、
「登録条件を選択し、「ＥＸＩＴ１」または「ＥＸＩＴ２」をクリックして下さい。
１．ログイン時に登録領域の指定順番を考慮する。（「ＥＸＩＴ１」）
２．ログイン時に登録領域の指定順番を考慮しない。（「ＥＸＩＴ２」）」
が表示される。
【００７７】
図１１は、本発明の実施例３において、領域指定用画面３１ｂを示す図である。
【００７８】
領域指定用画面３１ｂは、壁紙とともに、指示テキスト３２ｂが表示される。指示テキスト３２ｂは、「指示領域を指定（クリック）して下さい。」である。
【００７９】
この場合、指示有効領域を登録したユーザであれば、領域指示用画面３１ｂのうちのどの領域が指示有効領域であるかを知っているので、その指示有効領域（上記例であれば、画面右上の雲と、富士山の上半分の領域）とを指示する。これによって、本人確認が行われる。指示有効領域を正しく指定できなければ、本人確認が行われない。
【００８０】
また、実施例２のように、図１１に示す領域指定用画面３１ｂにおいて、指示テキスト３２ｂを表示しなくてもよい。このようにすれば、本人でない人は、ログインとして何をすればよいかさえ知らないので、セキュリティ効果が高い。
【００８１】
なお、上記実施例において、「指示有効領域登録画面（壁紙）」は、風景の他に、人物または物体の写真、絵、幾何学や芸術的な模様等であってもよい。また、真っ白い画面、真っ黒い画面等、単色の画面も、指示有効領域登録画面（壁紙）として使用することができる。さらに、静止画だけでなく、動画も、指示有効領域登録画面（壁紙）として使用することができる。しかも、表示する時刻、日にちによって，表示内容が異なる画像を、指示有効領域登録画面（壁紙）として使用することができる。
【００８２】
上記単色の画面、動画を指示有効領域登録画面（壁紙）として使用する場合、画面の上半分，右下部分等、大まかな領域を指示有効領域として登録することが現実的である。また、表示する時刻、日にちによって，表示内容が異なる画像を、指示有効領域登録画面（壁紙）として使用する場合も、大まかな領域を指示有効領域として登録することが現実的である。
【００８３】
なお、上記実施例において、ユーザが画面上で指示する領域は、所定の面積を有する範囲のみならず、点をも含む概念である。したがって、ユーザが画面上で領域を指定する場合、複数の点で上記領域を指定してもよく、また、一点を指定することによって、上記領域を指定するようにしてもよい。実際にユーザが領域を指定する場合、一点で領域を指定することが、簡単かつ迅速であり、現実的である。
【００８４】
また、上記実施例において、ユーザが画面上で領域を指示する場合、マウスを操作してカーソルによって指定するだけでなく、キーボード、タッチパネル等、マウス以外のポインティングディバスを使用して指定するようにしてもよい。
【００８５】
つまり、上記実施例は、指示した領域が有効であると判断される指示有効領域を登録するための指示有効領域登録用画面を、画面作成部が作成する指示有効領域登録用画面作成段階と、この作成された指示有効領域登録用画面を、表示部に表示する指示有効領域登録用画面表示段階と、上記表示されている指示有効領域登録用画面の中から、ユーザが選択した領域を、上記指示有効領域として登録する指示有効領域登録段階とを有するログイン時に指示する領域を登録する方法の例である。
【００８６】
また、上記実施例は、ユーザが画面上で指示した領域が、予め登録されている指示有効領域に含まれているかどうかを判断する判断段階と、ユーザが指示した領域が、上記指示有効領域に含まれていれば、ログイン処理部がログイン処理を行うログイン処理段階とを有するログイン方法の例である。
【００８７】
上記実施例は、指示した領域が有効であると判断される指示有効領域を登録するための指示有効領域登録用画面を作成する指示有効領域登録用画面作成手段と、この作成された指示有効領域登録用画面を表示する表示手段と、上記表示されている指示有効領域登録用画面の中から、ユーザが選択した領域を、上記指示有効領域として登録する指示有効領域登録手段とを有するログイン時に指示する領域を登録する装置の例である。
【００８８】
また、上記実施例は、ユーザが画面上で指示した領域が、予め登録されている指示有効領域に含まれているかどうかを判断する判断手段と、ユーザが指示した領域が、上記指示有効領域に含まれていれば、ログイン処理を行うログイン処理手段とを有するログイン装置の例である。
【００８９】
さらに、上記実施例は、ＩＤ・パスワード登録用画面を、画面作成部が作成するＩＤ・パスワード登録用画面作成段階と、上記作成されたＩＤ・パスワード登録用画面を、表示部に表示するＩＤ・パスワード登録用画面表示段階と、ユーザが入力したＩＤ・パスワードを、ユーザ単位で、ＩＤ・パスワード蓄積部に登録するＩＤ・パスワード登録段階と、指示した領域が有効であると判断される指示有効領域を登録するための指示有効領域登録用画面を、画面作成部が作成する指示有効領域登録用画面作成段階と、この作成された指示有効領域登録用画面を、表示部に表示する指示有効領域登録用画面表示段階と、上記表示されている指示有効領域登録用画面の中から、ユーザが選択した領域を、上記指示有効領域として登録する指示有効領域登録段階とを有するログイン時に指示する領域を登録する方法の例である。
【００９０】
そして、上記実施例は、ＩＤ・パスワード登録用画面を、画面作成部が作成するＩＤ・パスワード登録用画面作成段階と、この作成されたＩＤ・パスワード登録用画面を、表示部が表示するＩＤ・パスワード登録用画面表示段階と、ＩＤ・パスワード蓄積部に格納されているＩＤ・バスワードと、ユーザが入力したＩＤ・パスワードとを、照合部が照合する照合段階と、上記格納されているＩＤ・バスワードと、ユーザが入力したＩＤ・パスワードとの照合に成功すれば、ユーザが画面上で指示した領域が、予め登録されている指示有効領域に含まれているかどうかを判断する判断段階と、ユーザが指示した領域が、上記指示有効領域に含まれていれば、ログイン処理部がログイン処理を行うログイン処理段階とを有するログイン方法の例である。
【００９１】
この場合、上記指示有効領域登録用画面としての壁紙中に表示されている対象物のうちで、ユーザが選択する対象物に対応する指示有効領域を、ユーザに明示する明示段階を有する。
【００９２】
また、上記ＩＤ・パスワード蓄積部に格納されているＩＤ・バスワードと、ユーザが入力したＩＤ・パスワードとの照合に成功すれば、指示有効領域をクリックすることをユーザに促す指示テキストを、画面作成部が作成する指示テキスト作成段階と、上記作成された指示テキストを、上記表示部が表示する指示テキスト表示段階とを有する。
【００９３】
しかも、上記実施例は、ＩＤ・パスワード登録用画面を作成するＩＤ・パスワード登録用画面作成手段と、上記作成されたＩＤ・パスワード登録用画面を表示するＩＤ・パスワード登録用画面表示手段と、ユーザが入力したＩＤ・パスワードを、ユーザ単位で登録するＩＤ・パスワード登録手段と、指示した領域が有効であると判断される指示有効領域を登録するための指示有効領域登録用画面を作成する指示有効領域登録用画面作成手段と、この作成された指示有効領域登録用画面を表示する指示有効領域登録用画面表示手段と、上記表示されている指示有効領域登録用画面の中から、ユーザが選択した領域を、上記指示有効領域として登録する指示有効領域登録手段とを有するログイン時に指示する領域を登録する装置の例である。
【００９４】
また、上記実施例は、ＩＤ・パスワード登録用画面を作成するＩＤ・パスワード登録用画面作成手段と、この作成されたＩＤ・パスワード登録用画面を表示するＩＤ・パスワード登録用画面表示手段と、ＩＤ・パスワード蓄積部に格納されているＩＤ・バスワードと、ユーザが入力したＩＤ・パスワードとを照合する照合手段と、上記格納されているＩＤ・バスワードと、ユーザが入力したＩＤ・パスワードとの照合に成功すれば、ユーザが画面上で指示した領域が、予め登録されている指示有効領域に含まれているかどうかを判断する判断手段と、ユーザが指示した領域が、上記指示有効領域に含まれていれば、ログイン処理部がログイン処理を行うログイン処理手段とを有するログイン装置の例である。
【００９５】
さらに、上記実施例をプログラムの発明として把握することができる。つまり、上記実施例は、請求項１、２、５〜８のいずれか１項記載の方法をコンピュータに実行させるプログラムの例である。
【００９６】
また、上記実施例を記録媒体の発明として把握することができる。つまり、上記実施例は、請求項１、２、５〜８のいずれか１項記載の方法をコンピュータに実行させるプログラムを記録したコンピュータ読取可能な記録媒体の例である．この記録媒体として、ＣＤ、ＤＶＤ、ＨＤ、光磁気ディスク、半導体メモリ等が考えられる。
【図面の簡単な説明】
【００９７】
【図１】本発明の実施例１である電子端末機器１００を示すブロック図である。
【図２】電子機器端末１００において、指示有効領域を予め登録する動作を示すフローチャートである。
【図３】実施例１で使用する指示有効領域登録用画面２１の例を示す図である。
【図４】予め登録しておいた指示有効領域を、ログイン時にユーザが指示する動作を示すフローチャートである。
【図５】実施例１において使用する領域指示用画面３１を示す図である。
【図６】本発明の実施例２で使用する領域指示用画面３１ａを示す図である。
【図７】本発明の実施例３で使用する指示有効領域登録画面２１ａを示す図である。
【図８】本発明の実施例３で使用する指示有効領域登録画面２１ａにおいて、ユーザが指示有効領域ＲＡ、ＲＢを指定した状態である指示有効領域登録画面２１ｂを示す図である。
【図９】本発明の実施例３において、指示有効領域登録画面２１ｂに示すように、ユーザが指示有効領域を指示した後に表示される指示有効領域登録画面２１ｃを示す図である。
【図１０】本発明の実施例３において、指示有効領域登録画面２１ｂに示すように、ユーザが指示有効領域を指示した後に表示される指示有効領域登録画面２１ｄを示す図である。
【図１１】本発明の実施例３において、領域指定用画面３１ｂを示す図である。
【符号の説明】
【００９８】
１００…電子端末機器、
１…入力部、
２…テキストデータ処理部、
３…照合部、
４…条件判断部、
５…領域指示部、
６…計算部、
７…制御部、
８…表示部、
９…画面作成部、
１０…ＩＤ・パスワード蓄積部、
１１…領域域座標データ蓄積部、
１２…ログイン処理回数カウンタデータ蓄積部、
１３…ログイン処理部。
【図１】
2008276375.tif 000003
【図２】
2008276375.tif 000004
【図３】
2008276375.tif 000005
【図４】
2008276375.tif 000006
【図５】
2008276375.tif 000007
【図６】
2008276375.tif 000008
【図７】
2008276375.tif 000009
【図８】
2008276375.tif 000010
【図９】
2008276375.tif 000011
【図１０】
2008276375.tif 000012
【図１１】
2008276375.tif 000013